(57)【要約】【課題】従来の車椅子は足の不自由で片側の手しか使えない人にとっては、走行、曲がる事が困難であった。又、片側の手だけでベッドに移る事も難しく後輪が邪魔になっていた。【解決手段】右側車輪と左側車輪のハンドリムを一体にして、手の使えるほうに設け内側と外側が単独回転することにより曲がる事と平行に進む事が実現した。又、手動油圧ホンプを使用してシリンダーに油圧を掛けると前輪と座席部が前に進み後輪が邪魔にならない様にし、さらにフットレスト、レッグストをベッドの高さまで上げ移動を簡単に出来る様にした。【選択図】    図３
0003116599.tif 000002
【実用新案登録請求の範囲】
【請求項１】
片側の方にハンドリム（タイヤを回すところ）輪を２本１組にしハンドリムの中に小さいベアリング車を2個１組として数箇所取り付け内側のハンドリムは車輪に直接取り付け外側のハンドリムは反対側の車輪軸に連結し各ハンドリム単独回転出来る事により曲がる事が可能である。又、ハンドリムを同時回転により平行に進む事が出来る片手自操式車椅子
【請求項２】
請求項１に係る考案において後輪軸受け部両側にスライドレールを取り付けハンドリムの横に手動ピストン式油圧ポンプを取り付け油圧ポンプレバー引き、戻しを数回行いシリンダーに油圧掛後輪のスライドレールで前輪と座席部が前に移動しべットに移るとき後輪が邪魔にならない様にした。片手自操式車椅子
【請求項３】
請求項１に係る考案において前方にはフットレスト（足置き場）レッグスト（膝部）を請求項２のシリンダーでフットレスト、レッグストがベッドの高さまで上がり移動を楽にした。片手自操式車椅子
【考案の詳細な説明】
【技術分野】
【０００１】
本考案は、片手で前後移動でき左右に曲がる事が出来る。ハンドリムを片側に設け内側のハンドリムはタイヤに取り付け外側と内側ハンドリムを一体にし中に小さいベアリングを２個１組として数箇所取り付け外側のハンドリムは軸で反対側のタイヤに連結し各ハンドリムを単独回転が出来る事により左右に曲がる事が出来又、同時回転により平行に進む事が出来る。かつ後輪軸受けにスライドレールを取り付けブレーキを掛け前側にフットレストとレッグストが上がる様にし手動油圧ポンプのレバーを引き、戻しを数回行いシリンダーに油圧を掛けシリンダーの軸が伸び前車輪と座席部が前に進み又、同時にフットレストとレッグストがベッドの高さまで上がり移動が簡単である。
【背景技術】
【０００２】
従来の片手自操式車椅子は片側にハンドリムを取り付け片方の足で調整し曲がる進む事が出来るが片手と片足で操作が難しい欠点があった。又、片手操作車椅子は車椅子の横にレバーがあり進みたい方向にこいで、前後左右に走行できるタイプは有るのですがレバー一本での操作が難しくお年寄りでの操作では困難である。
【０００３】
片側だけの手ではベッドに移るのに足が上がらない欠点があった。
【０００４】
【特許文献１】特開平０８−１５０１７８号公報
【考案の開示】
【考案が解決しようとする課題】
【０００５】
従来の車椅子は両手を使うのは色々機種があるが片手操作の車椅子種類が少なくいずれも操作が困難であり狭い場所での操作では出来ない問題点があった。又、車椅子よりベッドに移動する時後輪が邪魔である。かつ足がベッドに上げるのが困難であった。
【課題を解決するための手段】
【０００６】
上記の目的を達成するため、本考案は、片側にハンドリムを内側と外側２本一体にしハンドリムの中に小さいベアリング車を２個１組として数箇所取り付け内側のハンドリムは後輪に直接取り付け外側のハンドリムは反対側の車輪軸に連結し各ハンドリム単独回転が出来る事により曲がる事が可能で同時回転により平行に進む事が出来る。又、後輪軸受け部両側にスライドレールを取り付け前方にフットレストとレッグストが上がる様にし手動油圧ポンプのレバーを引き、戻しを数回行いシリンダーに油圧を掛けシリンダーの軸が伸び前輪と座席部が前に進み又、同時にフットレストとレッグストがベッドの高さまで上がりべッドに移動が簡単に出来る特徴である。
【考案の効果】
【０００７】
本考案の片手自操式車椅子は、片側の手だけで前後及び、左右に曲がる事が簡単に出来る。又、両側後輪軸受けにスライドレールを取り付け前方フットレスト、レッグストがベッドの高さまで上がる事が出来る事により移動が簡単である利点がある。
【考案を実施するための最良の形態】
【０００８】
足が不自由で片側の手だけ使用出来る人の車椅子は種類も少なく操作も困難であった。片側にハンドリムを設け外側と内側を一組にし中にベアリング車を取り付け外側と内側単独回転が出来片側を回すことにより曲がる事が実現した。又、外側と内側を同時にまわすことにより平行に走る事が実現した。しかし足が不自由と片側の手だけではベッドに移る事が困難であった。しかも後輪が腰の横に有り移動に邪魔である。後輪を固定して手動油圧ポンプを使用して、シリンダーに油圧を掛け前輪と座席部が前に進みフットレスト、レッグストがベッドの高さまで上がる事が出来る事により簡単に移動する事が実現した。
【産業上の利用可能性】
【０００９】
足の不自由で片側の手しか使えない人の車椅子は種類も少なく操作も困難であった。右側車輪と左側車輪のハンドリムを一体にして、手の使えるほうに設け内側と外側が単独回転で自由に曲がる事が実現した。又、内側と外側を同時に回す事により平行に進む事が出来る。しかし足が不自由で片側の手だけでベッドに移る事は困難で後輪が邪魔になる事で後輪軸受けにスライドレールを設け後輪を固定して、手動油圧ホンプを使用してシリンダーに油圧を掛け前輪と座席部を前に進み後輪が邪魔にならない様にしさらにフットレスト、レッグストをベッドの高さまで上げ移動を簡単に出来る様にした。
【図面の簡単な説明】
【００１０】
【図１】片手自操式車椅子の平面図である。
【図２】片手自操式車椅子に乗っている状態の断面図である。
【図３】片手自操式車椅子を停止してブレーキを掛け手動油圧ポンプでシリンダーに油圧を掛け前輪と座席部が前に進みフットレスト、レッグストがベッドの高さまで上がってベッドに移れる状態断面図である。
【図４】右側左側のハンドリムを一体ハンドリム内の構造とタイヤの断面図である。
【符号の説明】
【００１１】
（１）一体型ハンドリム
（２）タイヤ
（３）手動油圧ポンプ用レバー
（４）油圧ポンプ
（５）シリンダー
（６）スライドレール
（７）フットレスト
（８）レッグレスト
（９）座席部
（１０）バックレスト
（１１）ブレーキレバー
（１２）介護ハンドル
（１３）介護用ブレーキ
（１４）前輪
Ａ  ベアリング車
【図１】
0003116599.tif 000003
【図２】
0003116599.tif 000004
【図３】
0003116599.tif 000005
【図４】
0003116599.tif 000006
【手続補正書】
【提出日】平成17年9月14日(2005.9.14)
【手続補正１】
【補正対象書類名】実用新案登録請求の範囲
【補正対象項目名】全文
【補正方法】変更
【補正の内容】
【実用新案登録請求の範囲】
【請求項１】
片側の方にハンドリム輪を２本１組にし、ハンドリムの中に小さいベアリング車を２個１組として数箇所取り付け、内側のハンドリムは車輪に直接取り付け、外側のハンドリムは反対側の車輪軸に連結し、各ハンドリムが単独回転出来る事により、曲がる事が可能となり、又ハンドリムの同時回転により平行に進む事が出来る片側自操式車椅子。
【請求項２】
請求項１に係る考案において、後輪軸受け部両側にスライドレールを設け、ハンドリムの横に手動ピストン式油圧ポンプを取り付け、油圧ポンプレバーを引き、戻しを数回行い、シリンダーに油圧を掛けて後輪のスライドレールで前輪と座席部が前に移動して、ベッドに移るとき後輪が邪魔にならないようにした片手自操式車椅子。
【請求項３】
請求項１に係る考案において、前方にはフットレストとレッグレストを請求項２のシリンダーでフットレスト、レッグレストがベッドの高さまで上がり、移動を楽にした片手手操式車椅子。